(57)【要約】【課題】  記録されている動画の内容を常に容易に把握することが出来る動画再生装置を提供する。【解決手段】  本発明に係る動画再生装置は、ＬＣＤ６、一連の動画を構成する全て或いは一部の複数枚の静止画像の中から手振れの少ない１或いは複数枚の静止画像を抽出する画像データ抽出回路７、抽出された１或いは複数枚の静止画像のサムネイルを作成するサムネイル作成回路８、及び作成されたサムネイルをＬＣＤ６に表示する画像信号処理回路３を具えている。【選択図】      図１
2005142941.tif 000002
【特許請求の範囲】
【請求項１】
画像表示装置と、記録媒体に記録されている一連の動画を再生して画像表示装置に表示する画像処理回路とを具えた動画再生装置において、該画像処理回路は、一連の動画を構成する全て或いは一部の複数枚の静止画像の中から手振れの少ない１或いは複数枚の静止画像を抽出し、抽出した１或いは複数枚の静止画像のサムネイルを作成して画像表示装置に表示することを特徴とする動画再生装置。
【請求項２】
前記画像処理回路は、
一連の動画を構成する全て或いは一部の複数枚の静止画像の中から手振れの少ない１或いは複数枚の静止画像を抽出する抽出手段と、
抽出された１或いは複数枚の静止画像のサムネイルを作成して記録媒体に記録する画像処理手段と、
ユーザのサムネイル表示操作に応じて、記録媒体に記録されている１或いは複数枚のサムネイルを表示する表示処理手段
とを具えている請求項１に記載の動画再生装置。
【請求項３】
前記画像処理回路の抽出手段は、一連の動画を構成する全て或いは一部の複数枚の静止画像の間で画像信号の高域成分量を比較し、高域成分量の多い１或いは複数枚の静止画像を手振れの少ない静止画像として抽出する請求項２に記載の動画再生装置。
【請求項４】
前記画像処理回路の抽出手段は、一連の動画を構成する全て或いは一部の複数枚の静止画像の間でファイルサイズを比較し、ファイルサイズの大きい１或いは複数枚の静止画像を手振れの少ない静止画像として抽出する請求項２に記載の動画再生装置。
【請求項５】
一連の動画は、複数枚のフレーム内符号化画像と複数枚の予測符号化画像とによって構成されており、前記画像処理回路の抽出手段は、複数枚のフレーム内符号化画像の中から１或いは複数枚の静止画像を抽出する請求項２乃至請求項４の何れかに記載の動画再生装置。
【発明の詳細な説明】
【技術分野】
【０００１】
本発明は、記録媒体に記録されている一連の動画を再生して画像表示装置に表示することが可能な動画再生装置に関するものである。
【背景技術】
【０００２】
従来、ＣＣＤ(固体撮像素子)などの撮像装置によって撮影した一連の動画をデジタルデータとして記録媒体に記録することが可能なデジタルカメラが知られている。
この種のデジタルカメラにおいては、ユーザにより動画撮影開始操作が行なわれると、撮影によって得られた一連の動画の画像データが、デジタルデータに変換された後、周知の圧縮方式により圧縮されて記録媒体に記録されると共に、一連の動画を構成する複数枚の静止画像の内、先頭の１枚の静止画像からサムネイル(縮小画像)が作成されて記録媒体に記録される。
その後、ユーザは記録媒体に記録されている複数の動画の中から所望の１つの動画をＬＣＤ(液晶ディスプレイ)等の画像表示装置に表示させんとする際には、先ず、各動画について作成されたサムネイルを含む選択画面を表示させ、次に、この中から目的の動画についてのサムネイルを選択することによって、目的の動画を画像表示装置に表示させる。
【０００３】
一方で、合焦動作によって得られる複数枚の画像の内、画像信号の高域成分の積算値が最も大きい画像を記録媒体に記録する電子スチルカメラが提案されている(特許文献１)。
又、撮影の前後に画像信号の高域成分の積算値を比較することによって画像の手振れ状態を検出するデジタルカメラが提案されている(特許文献２)。
【特許文献１】特開平４−８４５７２号公報
【特許文献２】特開２００２−２８７１９５号公報
【発明の開示】
【発明が解決しようとする課題】
【０００４】
しかしながら、動画撮影が可能な上記従来のデジタルカメラにおいては、一連の動画の先頭の静止画像からサムネイルが作成されるため、ユーザが動画撮影の開始時に手振れを起こした場合、不鮮明なサムネイルが画像表示装置に表示されることとなり、サムネイルによって動画の内容を把握することが困難となる。
そこで本発明の目的は、記録されている動画の内容を常に容易に把握することが出来る動画再生装置を提供することである。
【課題を解決するための手段】
【０００５】
本発明に係る動画再生装置は、画像表示装置と、記録媒体に記録されている一連の動画を再生して画像表示装置に表示する画像処理回路とを具えており、該画像処理回路は、一連の動画を構成する全て或いは一部の複数枚の静止画像の中から手振れの少ない１或いは複数枚の静止画像を抽出し、抽出した１或いは複数枚の静止画像のサムネイルを作成して画像表示装置に表示する。
【０００６】
上記本発明に係る動画再生装置においては、手振れの少ない１或いは複数枚の静止画像のサムネイルが作成されるので、画像表示装置に表示されるサムネイルは常に鮮明なものとなり、ユーザは、サムネイルによって動画の内容を常に容易に把握することが出来る。
【０００７】
具体的には、前記画像処理回路は、
一連の動画を構成する全て或いは一部の複数枚の静止画像の中から手振れの少ない１或いは複数枚の静止画像を抽出する抽出手段と、
抽出された１或いは複数枚の静止画像のサムネイルを作成して記録媒体に記録する画像処理手段と、
ユーザのサムネイル表示操作に応じて、記録媒体に記録されている１或いは複数枚のサムネイルを表示する表示処理手段
とを具えている。
上記具体的構成においては、予めサムネイルが作成されて記録媒体に記録されているので、ユーザは、サムネイル表示操作を行なうことによって短時間でサムネイルを表示させることが出来る。
【０００８】
又、具体的構成においては、前記画像処理回路の抽出手段は、一連の動画を構成する全て或いは一部の複数枚の静止画像の間で画像信号の高域成分量を比較し、高域成分量の多い１或いは複数枚の静止画像を手振れの少ない静止画像として抽出する。
【０００９】
一連の動画を構成する複数枚の静止画像は、同じ様なシーンを表わしている場合が多く、手振れの少ない静止画像は、手振れの多い静止画像に比べて画像信号の高域成分量が多くなる。
そこで、前記画像処理回路の抽出手段は、高域成分量の多い１或いは複数枚の静止画像を手振れの少ない静止画像として抽出する。高域成分の周波数は、例えば、被写体の種類に応じて３００ＫＨｚ、６００ＫＨｚ或いは１ＭＨｚに設定される。
【００１０】
他の具体的構成においては、前記画像処理回路の抽出手段は、一連の動画を構成する全て或いは一部の複数枚の静止画像の間でファイルサイズを比較し、ファイルサイズの大きい１或いは複数枚の静止画像を手振れの少ない静止画像として抽出する。
【００１１】
上述の如く、手振れの少ない静止画像は、手振れの多い静止画像に比べて画像信号の高域成分量が多くなる。又、高域成分量の多い静止画像は、高域成分量の少ない静止画像に比べてファイルサイズが大きくなる。
そこで、前記画像処理回路の抽出手段は、ファイルサイズの大きい１或いは複数枚の静止画像を手振れの少ない静止画像として抽出する。
【００１２】
又、具体的には、一連の動画は、複数枚のフレーム内符号化画像と複数枚の予測符号化画像とによって構成されており、前記画像処理回路の抽出手段は、複数枚のフレーム内符号化画像の中から１或いは複数枚の画像を抽出する。
【００１３】
一連の動画がＭＰＥＧ方式により圧縮されている場合には、一連の動画は、フレーム内で符号化された画像(Ｉピクチャ)、順方向の予測によって符号化されたフレーム間予測符号化画像(Ｐピクチャ)、及び双方向の予測によって符号化されたフレーム間予測符号化画像(Ｂピクチャ)から構成されており、前記画像処理回路の抽出手段は、複数枚のＩピクチャの中から手振れの少ない１或いは複数枚の画像を抽出する。
【発明の効果】
【００１４】
本発明に係る動画再生装置によれば、記録されている動画の内容を常に容易に把握することが出来る。
【発明を実施するための最良の形態】
【００１５】
以下、本発明をデジタルカメラに実施した形態につき、図面に沿って具体的に説明する。
本発明に係るデジタルカメラは、図１に示す如く、撮影レンズ(１)と、撮影レンズ(１)から取り込まれた画像光線を光電変換するＣＣＤ(２)と、Ａ／Ｄ変換処理やＤ／Ａ変換処理等の所定の画像処理を行なう画像信号処理回路(３)と、ＭＰＥＧ方式による圧縮処理及び伸長処理を行なう動画処理回路(４)とを具えており、画像信号処理回路(３)には、撮影された画像を表示するためのＬＣＤ(６)が接続され、動画処理回路(４)には、画像データを記録するためのメモリカード(５)が接続されている。
又、本発明に係るデジタルカメラは、後述の如く撮影によって得られた複数枚の静止画像の画像データの中から手振れの最も少ない１枚の静止画像の画像データを抽出する画像データ抽出回路(７)と、画像データに所定の信号処理を施してサムネイルを作成するサムネイル作成回路(８)と、ＪＰＥＧ方式による圧縮処理及び伸長処理を行なう静止画処理回路(９)とを具えている。
尚、上述のＣＣＤ(２)、画像信号処理回路(３)、動画処理回路(４)、ＬＣＤ(６)、画像データ抽出回路(７)、サムネイル作成回路(８)及び静止画処理回路(９)は、図示省略する制御回路に接続されており、該制御回路によって動作が制御されている。
【００１６】
上記デジタルカメラは、ＣＣＤ(２)によって撮影された画像をメモリカード(５)に記録することが可能な記録モードと、メモリカード(５)に記録されている画像を再生してＬＣＤ(６)に表示することが可能な再生モードとの間で切換え設定が可能である。
記録モードでは、ＣＣＤ(２)から得られる画像信号が１フレーム分ずつ画像信号処理回路(３)に供給される。画像信号処理回路(３)に入力された画像信号は一旦、内蔵メモリ(図示省略)に格納された後、ＬＣＤ表示のための画像処理を受けてＬＣＤ(６)に供給される。この結果、ＣＣＤ(２)によって撮影された画像(動画)がＬＣＤ(６)にリアルタイムで表示されることになる。
【００１７】
この状態で、ユーザにより動画撮影を開始するための操作が行なわれると、画像信号処理回路(３)では、上述の如く内蔵メモリに格納された画像信号に画像記録のための画像処理及びＡ／Ｄ変換処理が施され、これによって得られるデジタル画像データは、動画処理回路(４)に供給されて圧縮処理が施される。動画処理回路(４)から得られる複数フレーム分の圧縮画像データはメモリカード(５)に書き込まれる。この様にして、複数枚の静止画像からなる一連の動画がメモリカード(５)に記録されることになる。
【００１８】
又、画像信号処理回路(３)では、上述の如く内蔵メモリに格納された画像信号から高域成分が抽出される。ここで、高域成分の周波数は、被写体の種類に応じて３００ＫＨｚ、６００ＫＨｚ及び１ＭＨｚの間で切り換えられる。そして、抽出された画像信号にＡ／Ｄ変換処理が施され、これによって得られるデジタル画像データが、画像データ抽出回路(７)に供給される。
画像データ抽出回路(７)では、画像データを１フレーム分だけ積算すると共に新たな積算値と前回の積算値を比較する処理を繰り返すことによって、所定フレーム分の画像データの中から積算値が最も大きい１フレーム分の画像データが抽出される。抽出された画像データはサムネイル作成回路(８)に供給される。
サムネイル作成回路(８)では、入力された画像データからサムネイルが作成され、作成されたサムネイルは静止画処理回路(９)に供給されて圧縮処理が施された後、メモリカード(５)に書き込まれる。この様にして、一連の動画の先頭部分を構成する所定枚数の静止画像の内、手振れの最も少ない１枚の静止画像のサムネイルが作成され、該サムネイルが一連の動画と共にメモリカード(５)に記録されることになる。
【００１９】
一方、再生モードでは、ユーザによりサムネイル表示操作が行なわれると、メモリカード(５)に記録されている各動画についてのサムネイルが静止画処理回路(９)により読み出されて伸長処理を受け、これによって得られる画像データが画像信号処理回路(３)に供給される。画像信号処理回路(３)では、入力された画像データから複数枚のサムネイルを一覧表示するための画面データが作成され、該画面データがＤ／Ａ変換されてＬＣＤ(６)に供給される。この結果、図２に示すサムネイル表示画面がＬＣＤ(６)に表示されることになる。
この状態で、ユーザにより１枚のサムネイルを選択する操作が行なわれると、該サムネイルと共にメモリカード(５)に書き込まれた複数フレーム分の圧縮画像データが動画処理回路(４)により読み出されて伸長処理を受け、これによって得られる複数フレーム分の画像データが画像信号処理回路(３)に供給される。画像信号処理回路(３)では、入力された画像データにＬＣＤ表示のための画像処理及びＤ／Ａ変換処理を施す動作が実行され、これよって得られる画像信号がＬＣＤ(６)に供給される。この結果、メモリカード(５)に記録されている複数の動画の内、ユーザにより選択されたサムネイルと共に記録された動画がＬＣＤ(６)に表示されることになる。
【００２０】
図３は、上記画像データ抽出回路(７)によって実行される具体的手続きを表わしている。
撮影によって得られた一連の動画がメモリカード(５)に記録された後、先ずステップＳ１にて、画像信号処理回路(３)から入力された画像データの高域成分を最初の１フレーム分だけ積算し、次にステップＳ２では、最初のフレームの画像データを内蔵メモリに格納する。
【００２１】
続いてステップＳ３では、画像信号処理回路(３)から入力された画像データの高域成分を次の１フレーム分だけ積算した後、ステップＳ４では、今回の積算値が前回の積算値を上回るか否かを判断し、イエスと判断された場合には、ステップＳ５に移行して、ステップＳ３にて高域成分の積算値が算出されたフレームの画像データを内蔵メモリに上書きした後、ステップＳ６に移行する。これに対し、ステップＳ４にてノーと判断された場合には、ステップＳ５を迂回してステップＳ６に移行する。
ステップＳ６では、所定フレーム分の画像データについて高域成分の積算値を算出したか否かを判断し、ノーと判断された場合にはステップＳ３に戻って、上述の高域成分の積算処理及び積算値の比較処理を繰り返し、その後、ステップＳ６にてイエスと判断された場合には、ステップＳ７にて、内蔵メモリに格納されている画像データをサムネイル作成回路(８)に出力して手続きを終了する。
上記手続きによって、一連の動画の先頭から所定フレーム分の画像データの内、高域成分の積算値の最も大きい画像データが抽出され、該画像データがサムネイル作成回路(８)に出力されることになる。その後、サムネイル作成回路(８)では、入力された画像データからサムネイルが作成され、作成されたサムネイルは、静止画処理回路(９)により圧縮されてメモリカード(５)に記録される。
【００２２】
本発明に係るデジタルカメラにおいては、上述の如く、一連の動画の先頭部分を構成する所定数枚の静止画像の内、手振れの最も少ない静止画像のサムネイルが作成されるので、ＬＣＤ(６)に表示されるサムネイルは常に鮮明なものとなり、ユーザは、サムネイルによって動画の内容を常に容易に把握することが出来る。
【００２３】
尚、本発明の各部構成は上記実施の形態に限らず、特許請求の範囲に記載の技術的範囲内で種々の変形が可能である。
例えば、上記実施の形態においては、手振れの最も少ない静止画像の画像データとして高域成分の積算値が最も大きい画像データを抽出しているが、各静止画像のファイルサイズを算出し、ファイルサイズが最も大きい画像データを抽出する構成を採用することも可能である。
又、上記実施の形態においては、１つの動画について１枚のサムネイルを作成しているが、１つの動画を複数の部分に分割し、各部分について１枚のサムネイルを作成することによって複数枚のサムネイルを作成する構成を採用することも可能である。
更に、画像信号の高域成分の積算値に基づきオートフォーカス動作を実行するデジタルカメラにおいては、オートフォーカス動作時に算出された積算値に基づいて手振れの少ない静止画像の画像データを抽出する構成を採用することも可能である。かかる構成によれば、サムネイル作成時に高域成分の積算値を算出する処理を省略することが出来るので、サムネイルの作成に要する時間を短縮することが出来る。
【図面の簡単な説明】
【００２４】
【図１】本発明に係るデジタルカメラの構成を表わすブロック図である。
【図２】サムネイル表示画面の一例を表わす図である。
【図３】上記デジタルカメラの画像データ抽出回路によって実行される具体的手続きを表わすフローチャートである。
【符号の説明】
【００２５】
(１)  撮影レンズ
(２)  ＣＣＤ
(３)  画像信号処理回路
(４)  動画処理回路
(５)  メモリカード
(６)  ＬＣＤ
(７)  画像データ抽出回路
(８)  サムネイル作成回路
(９)  静止画処理回路
【図１】
2005142941.tif 000003
【図２】
2005142941.tif 000004
【図３】
2005142941.tif 000005